(57)【要約】  【課題】  光ファイバ通信管などの通信管の埋設位置を視認によって簡単にかつ確実に確認することができる通信管の位置確認用ポストおよび位置確認方法を提供することである。  【解決手段】  筒形で構成され、周壁２に通信管が通る開口部３が形成され、あるいは周壁２の下端に通信管が通る切り欠き部４が形成された、地中に埋設した通信管の位置を確認するためのポスト１である。このポスト１を、通信管を埋設した土地に、該ポストの上部が地上に露出し且つ該ポストの周壁２に設けた開口部３または周壁２下端に形成した切り欠き部４を前記通信管が通るように埋設する。【選択図】  図１
2006250616.tif 000002
【特許請求の範囲】
【請求項１】
筒形で構成され、通信管が通る開口部が周壁に形成されていることを特徴とする、地中に埋設した通信管の位置を確認するためのポスト。
【請求項２】
筒形で構成され、切断面積の異なる複数の易切断部が周壁に形成されており、通信管の大きさに応じていずれかの易切断部を切断して通信管が通る開口部を形成するようにしたことを特徴とする、地中に埋設した通信管の位置を確認するためのポスト。
【請求項３】
筒形で構成され、通信管が通る切り欠き部が周壁下端に形成されていることを特徴とする、地中に埋設した通信管の位置を確認するためのポスト。
【請求項４】
筒形で構成され、切断面積の異なる複数の易切断部が周壁下端に形成されており、通信管の大きさに応じていずれかの易切断部を切断して通信管が通る切り欠き部を形成するようにしたことを特徴とする、地中に埋設した通信管の位置を確認するためのポスト。
【請求項５】
柔軟性を有する請求項１〜４のいずれかに記載のポスト。
【請求項６】
地上に露出した上部開口を覆う蓋を有する請求項１〜５のいずれかに記載のポスト。
【請求項７】
通信管を埋設した土地に筒形で構成されたポストを、該ポストの上部が地上に露出し且つ該ポストの周壁に設けた開口部または周壁下端に形成した切り欠き部を前記通信管が通るように埋設することを特徴とする、地中に埋設した通信管の位置を確認する方法。
【請求項８】
通信管を埋設した土地に、通信管に沿って所定の間隔で複数の前記ポストを埋設することを特徴とする請求項７記載の方法。
【発明の詳細な説明】
【技術分野】
【０００１】
本発明は、地中に埋設した光ファイバ通信管などの通信管の位置を確認するためのポスト、およびこれを用いる通信管の位置確認方法に関する。
【背景技術】
【０００２】
高速道路の中央分離帯などには、光ファイバ通信管が埋設されている。従って、工事などのために中央分離帯などの土地を掘削する際には、光ファイバ通信管の埋設位置を確認する必要がある。ところが、従来は単に通信管にタグを紐でつなぎ、このタグで埋設位置を確認する程度にすぎなかったため、タグがずれたりして、通信管の埋設位置を正確に示していないことが多い。このため、工事や事故などで通信管の位置を確認する必要が生じた場合には試掘を行い、光ファイバ通信管が埋設されている位置を事前に確認する必要があった。
【０００３】
一方、特許文献１には、地表面に突き刺した送波器から地中に向けて音波を発し、地中に埋設されている光ファイバ通信管からの反射波を受波器で受けて、光ファイバ通信管の埋設位置を測定する方法が記載されている。
【０００４】
また、特許文献２には、地中に埋設されている通信管などの上部地上に、所定の識別符号が付されているマーカを装着し、このマーカの装着位置を記憶手段で記憶して、表示手段で表示するようにしたマーカ位置を確認する装置が記載されている。
【０００５】
【特許文献１】特開平１１‐１４２５２５号公報
【特許文献２】特開平１１‐３０４４９０号公報
【発明の開示】
【発明が解決しようとする課題】
【０００６】
しかしながら、特許文献１、２に記載の方法や装置は、光ファイバ通信管の埋設位置を確認するのに大掛かりな装置を必要とし、コストがかかるという欠点がある。特に、これらの方法や装置は、実際に埋設されている光ファイバ通信管を直接視認できないために、安全のためには、従来と同様に事前に試掘して、光ファイバ通信管の位置を確認する必要がある。
【０００７】
従って、本発明の課題は、通信管の埋設位置を視認によって簡単にかつ確実に確認することができる通信管の位置確認用ポストおよび位置確認方法を提供することである。
【課題を解決するための手段】
【０００８】
本発明者らは、上記課題を解決すべく鋭意検討を重ねた結果、通信管の埋設位置に筒形のポストを埋設し、かつポスト周壁または周壁下端に通信管が通る開口部または切り欠き部を設けることにより、ポストの上からポスト内を覗き込めば簡単に通信管の存在を視認することができるという新たな事実を見出し、本発明を完成するに至った。
【０００９】
すなわち、本発明のポストは、以下の構成を有する。
（1）筒形で構成され、通信管が通る開口部が周壁に形成されていることを特徴とする、地中に埋設した通信管の位置を確認するためのポスト。
（2）筒形で構成され、切断面積の異なる複数の易切断部が周壁に形成されており、通信管の大きさに応じていずれかの易切断部を切断して通信管が通る開口部を形成するようにしたことを特徴とする、地中に埋設した通信管の位置を確認するためのポスト。
（3）筒形で構成され、通信管が通る切り欠き部が周壁下端に形成されていることを特徴とする、地中に埋設した通信管の位置を確認するためのポスト。
（4）筒形で構成され、切断面積の異なる複数の易切断部が周壁下端に形成されており、通信管の大きさに応じていずれかの易切断部を切断して通信管が通る切り欠き部を形成するようにしたことを特徴とする、地中に埋設した通信管の位置を確認するためのポスト。
（5）柔軟性を有する（1）〜（4）のいずれかに記載のポスト。
（6）地上に露出した上部開口を覆う蓋を有する（1）〜（5）のいずれかに記載のポスト。
【００１０】
本発明に係る通信管の位置確認方法は、通信管を埋設した土地に筒形で構成されたポストを、該ポストの上部が地上に露出し且つ該ポストの周壁に設けた開口部または周壁下端に形成した切り欠き部を前記通信管が通るように埋設することを特徴とする。特に、通信管を埋設した土地に、通信管に沿って所定の間隔で複数の前記ポストを埋設するのがよい。
【発明の効果】
【００１１】
本発明にかかる通信管の位置確認用ポストおよび位置確認方法によれば、通信管の埋設位置に筒形のポストを埋設し、かつポスト周壁または周壁下端に通信管が通る開口部または切り欠き部を設けることにより、ポストの上からポスト内を覗き込むだけで簡単にかつ確実に通信管の存在を視認することができ、また位置確認のために試掘する必要がないので、コストの削減にもなるという効果がある。
また、上記（2）または（4）に記載のポストによれば、複数の易切断部を設けることにより、１つのポストで通信管の大きさに応じた最適な開口部または切り欠き部を形成することができる。
【発明を実施するための最良の形態】
【００１２】
以下、図面に基づいて本発明にかかる通信管の位置確認用ポストおよび位置確認方法を説明する。図１は本発明の一実施形態にかかる位置確認用ポストを示している。同図に示すように、このポスト１は筒形で構成され、筒体の周壁２には開口部３、３が、周壁下端には切り欠き部４、４がそれぞれ形成されている。開口部３、３は周壁２の対向する位置にそれぞれ形成されている。切り欠き部４、４も同様である。
【００１３】
開口部３、３の大きさは、図２，３に示すように、通信管８の視認に支障のないように、上から観察したときに、少なくとも通信管８の１／３程度が収容できる程度の大きさであればよい。切り欠き部４、４の場合は、図４，５に示すように、通信管８の全体が観察できるので、通信管８の一部が収容できる程度の大きさであればよい。
【００１４】
また、ポスト１の上部外周面にはねじ溝5が形成されており、このねじ溝5を蓋6の内周面に設けたねじ溝（図示せず）と螺合させることにより、蓋6でポスト１の上部開口7を覆うように構成されている。なお、蓋６は、ねじ溝を設けずに、単にポスト１の上部に被せるだけであってもよい。
【００１５】
図２は上記ポスト1の使用状態の一例を示している。図２に示すように、２本の通信管８，８（例えば光ファイバ通信管等）が各開口部３、３を通るように地中に敷設されている。この状態で、ポスト１および通信管８，８を地中に埋設し、ポスト１の上部を地上に露出させる（図２において、Ａ線は地表部分を示している）。このため、図３に示すように、ポスト１の蓋６を取り外して、上部開口7よりポスト１内を覗くと、２本の通信管８，８を明確に視認することができる。
【００１６】
図４は上記ポスト1の他の使用状態を示している。すなわち、通信管８が１本だけの場合は、図４に示すように、下端の切り欠き部4に通信管８を通してもよい。この場合には、通信管８の上にポスト1を設置した状態で地中に埋設することになる。この場合も、図５に示すように、蓋６を取り外して、上部開口7よりポスト１内を覗くと、通信管８を明確に視認することができる。なお、通信管８が１本だけの場合、切り欠き部4および開口部３のいずれを通すかは任意に選択可能である。また、通信管８を開口部３、３に挿通させてもよい。
【００１７】
このようにポスト１は、開口部３または切り欠き部4に通信管８を通して使用されるものであるため、ポスト１に不要な外力が加わった場合でも、あるいは通信管８，８間の距離が変動した場合でも、通信管８に力を及ぼさないように、ポスト１は柔軟性を有する軟質材料から形成するのが好ましい。また、地中に埋設されることから、容易に腐食しない耐バクテリア性を備えているのが好ましい。さらに、高速道路などの道路の側に埋設されることが多いことから、難燃性を有しているのがよい。
【００１８】
従って、ポスト１は、難燃性や耐バクテリア性を有する軟質プラスチック材料またはゴム材料を使用するのが好ましい。このような軟質材としては、例えばフッ素ゴム、シリコーンゴム、エピクロルヒドリンゴム、塩素化ポリエチレン、クロロスルホン化ポリエチレン、クロロプレンゴム、さらにポリスチレン系、ポリオレフィン系、ポリ塩化ビニル系、ポリエステル系、ポリアミド系などの熱可塑性エラストマーなどを用いることができる。
【００１９】
ところで、通信管８は外径が一定ではなく、各種の大きさのものが使用されている。例えば、光ファイバ通信管では、外径４８．６ｍｍのスチール管（４０Ａと称される）と、外径６０．５ｍｍのスチール管（５０Ａと称される）の２種類がある。従って、使用される通信管８の外径に適するように開口部３または切り欠き部4の大きさを決定しなければならない。
【００２０】
そこで、本発明の他の実施形態では、図６に示すように、ポスト１aの周壁２aに切断面積の異なる二重の易切断線９，１０が形成されている。また、周壁２aの下端部には切断面積の異なる二重の易切断線１１，１２が形成されている。
【００２１】
これらの易切断線９，１０，１１，１２（易切断部）は、例えば、施工者が施工現場でカッターなどを用いて簡単に切断できるようにしたものである。具体的には、易切断線９，１０，１１，１２の部分を他の部位よりも厚さの薄い薄肉部にする、いわゆるミシン目をつけるなどがある。また、図７に示すように、薄肉部１３の底部に糸１４（切断具）を埋設しておき、切断時に糸１４の端１４aを引張って易切断線９または１０に沿って切断するようにしてもよい。易切断線１１，１２も同様に構成することができる。なお、この実施形態では、2重にした2つの易切断線を示したが、2つに限定されるものでなく、必要に応じて2以上の易切断線を設けてもよい。
【００２２】
本発明の他の実施形態を図８〜11にそれぞれ示す。なお、図１に示した構成部材と同じ部材には同一符号を付して説明を省略する。まず、図８に示すポスト２０は径の異なる３段の筒体２１，２２，２３を伸縮自在に連結し、最下段の筒体２３に開口部３および切り欠き部４を設けたものである。このため、通信管８の埋設深さが様々であっても、筒体２１，２２，２３の引出し長さを調節することにより、容易に対応することができる。その他は上述の実施形態と同様である。
【００２３】
図９に示すポスト２４は、上部開口部７１を筒体２５と蛇腹部材２６で連結したものである。このため、ポスト２４の埋設位置がずれた場合でも、地表に露出する上部開口部７１を所定位置に位置（偏心）させることができる。その他は上述の実施形態と同様である。
【００２４】
図１０に示すポスト２７は、通信管８を開口部３で固定できるように、筒体２８の外面にバンド２９と突起３０が形成されている。すなわち、バンド２９に穿設した穴３１に突起３０を通して筒体２８を固定する。また、切り欠き部４が形成された筒体２８の下端にも、同様なバンド２９と突起３０が形成されている。その他は上述の実施形態と同様である。
【００２５】
図１１に示すポスト３２は、地中に埋設する際に、土圧で筒体３３が圧潰されないように、内部に内壁３４を設けたものである。内壁３４は十字形に形成されているが、これに限定されるものではなく、Ｙ形などの任意な形状が採用可能である。その他は上述の実施形態と同様である。
【００２６】
本発明に係るポスト1、20、24、27、32は、通信管８を埋設した土地に所定の間隔で複数個を埋設することにより、工事などで通信管８の位置を確認する必要が生じても、該当する部位のポストの蓋を外すだけで簡単に通信管８を視認により確認することができる。
【図面の簡単な説明】
【００２７】
【図１】本発明に係るポストの一実施形態を示す概略斜視図である。
【図２】本発明に係るポストの使用状態の一例を示す概略説明図である。
【図３】図２の使用状態における平面図である。
【図４】本発明に係るポストの他の使用状態を示す概略説明図である。
【図５】図４の使用状態における平面図である。
【図６】本発明に係るポストの別の実施形態を示す概略斜視図である。
【図７】易切断部の一例を示す概略断面図である。
【図８】本発明に係るポストの他の実施形態を示す概略斜視図である。
【図９】本発明に係るポストの他の実施形態を示す概略斜視図である。
【図１０】本発明に係るポストの他の実施形態を示す概略斜視図である。
【図１１】本発明に係るポストの他の実施形態を示す概略斜視図である。
【符号の説明】
【００２８】
１：ポスト、２：周壁、３：開口部、４：切り欠き部、５：ねじ溝、６：蓋、７：上部開口、８：通信管、９，１０，１１，１２：易切断部、１３：薄肉部、１４：糸、２０：ポスト、２４：ポスト、２７：ポスト、３２：ポスト
【図１】
2006250616.tif 000003
【図２】
2006250616.tif 000004
【図３】
2006250616.tif 000005
【図４】
2006250616.tif 000006
【図５】
2006250616.tif 000007
【図６】
2006250616.tif 000008
【図７】
2006250616.tif 000009
【図８】
2006250616.tif 000010
【図９】
2006250616.tif 000011
【図１０】
2006250616.tif 000012
【図１１】
2006250616.tif 000013